(57)【要約】【課題】補助極を使用することなく、低コストで常温始動性を向上できる直流電動機を提供する。【解決手段】整流子８の表面（整流子面）には、少なくともブラシ２が摺動する範囲内でブラシ２の摺動方向の複数本の溝１０が形成され、ブラシ２との接触面が凹凸形状に設けられている。これにより、整流子８とブラシ２との摺動接触状態を大幅に安定させることができ、電圧整流の効果を大きく活用できるので、低電流域では、ブラシ２と整流子８との接触面における通電電流分布が、電機子１の回転方向に対するブラシ２の入口側へ偏り、ブラシ移動角（ブラシシフト）を変更したのと同様の出力性能変化を得ることができる。その結果、従来公知の補助極を使用することなく、低電流域での回転速度向上効果を得ることができるため、補助極を使用する公知技術と比較した場合に、低コストで常温始動性を向上できる。【選択図】図１
2007244089.tif 000002
【特許請求の範囲】
【請求項１】
磁気回路を形成するヨークと、
このヨークの内周に配置される永久磁石と、
整流子を有する電機子と、
この電機子の回転により前記整流子上を摺動するブラシとを備えた直流電動機において、
前記整流子の表面には、前記ブラシとの接触面に摺動方向の複数の凹凸形状が設けられていることを特徴とする直流電動機。
【請求項２】
請求項１に記載した直流電動機において、
前記電機子の回転中心に対する前記ブラシの内周側の開角度をＸとし、前記永久磁石の内周側の開角度をＹとすると、
Ｘ≧Ｙ／４……………………………（１）
上記（１）式が成立することを特徴とする直流電動機。
【請求項３】
請求項１または２に記載した直流電動機において、
一対の電圧端子より試験片に電圧を印加して、前記試験片に流れる通電電流を測定し、下記の計算式（２）より前記試験片の固有抵抗を求める時に、
Ｒ＝（Ｖ×Ｓ）／（Ｉ×Ｌ）………（２）
Ｒ：固有抵抗（Ωｃｍ）
Ｓ：試験片の断面積（ｃｍ2 ）
Ｉ：試験片に流れる通電電流（Ａ）
Ｌ：電圧端子間隔（ｃｍ）
Ｖ：印加電圧（Ｖ）
上記の計算式（２）より算出される前記ブラシの固有抵抗が１８００μΩｃｍ以下であることを特徴とする直流電動機。
【請求項４】
請求項３に記載した直流電動機において、
前記ブラシは、抵抗値が異なる複数のブラシ材を積層した多層ブラシであり、
最も抵抗値の低いブラシ材の固有抵抗が１８００μΩｃｍ以下であることを特徴とする直流電動機。
【請求項５】
請求項１〜４に記載した何れかの直流電動機において、
前記ブラシは、抵抗値が異なる複数のブラシ材を積層した多層ブラシであり、
前記電機子の回転方向に対する前記ブラシの出口側に入口側より抵抗値の高いブラシ材を配置したことを特徴とする直流電動機。
【請求項６】
請求項１〜５に記載した何れかの直流電動機において、
前記整流子上を摺動する前記ブラシの摺動面は、前記ブラシが摩耗していない初期状態で、前記整流子の摺動方向の形状と略同等に形成されていることを特徴とする直流電動機。
【請求項７】
請求項１〜５に記載した何れかの直流電動機において、
前記整流子上を摺動する前記ブラシの摺動面は、前記ブラシが摩耗していない初期状態で、前記ブラシの摺動方向の中心より前記電機子の回転方向に対する入口側のみ接触する形状であることを特徴とする直流電動機。
【請求項８】
請求項１〜７に記載した何れかの直流電動機において、
前記整流子は、互いに絶縁された複数の整流子片から成り、この複数の整流子片が電機子軸の外周に円筒状に配置されていることを特徴とする直流電動機。
【請求項９】
請求項１〜７に記載した何れかの直流電動機において、
前記整流子は、互いに絶縁された複数の整流子片から成り、この複数の整流子片が電機子軸と直交する向きに配置されていることを特徴とする直流電動機。
【請求項１０】
請求項１〜９に記載した何れかの直流電動機は、内燃機関を始動するためのスタータモータであることを特徴とする直流電動機。
【発明の詳細な説明】
【技術分野】
【０００１】
本発明は、界磁に永久磁石を用いた直流電動機に関する。
【背景技術】
【０００２】
従来、永久磁石式の直流モータでは、常温始動性の向上を図るために、高電流域でのトルクを低下させることなく、低電流域での回転速度を向上させる手段として、特許文献１が公知である。即ち、特許文献１には、主極である永久磁石に対し電機子反作用の増磁側に磁性材料から成る補助極を配置することにより、補助極から電機子コイルに鎖交する有効磁束量を増加させて、高出力化を図る技術が示されている。
【特許文献１】特公平５−１０９０３号公報
【発明の開示】
【発明が解決しようとする課題】
【０００３】
ところが、上記の公知技術では、電機子コイルへの通電時に補助極が磁化されて、電機子との間に吸引力が発生するため、この吸引力に対抗して補助極をヨークに固定する必要がある。このため、補助極を溶接により固定する、あるいは補助極の内周側にスリーブを配置する等の複雑な構造が必要である。
また、補助極を有しないモータと比較すると、部品点数も増加するため、コストアップを招くという問題があった。
本発明は、上記事情に基づいて成されたもので、その目的は、補助極を使用することなく、低コストで常温始動性を向上できる直流電動機を提供することにある。
【課題を解決するための手段】
【０００４】
（請求項１の発明）
本発明は、磁気回路を形成するヨークと、このヨークの内周に配置される永久磁石と、整流子を有する電機子と、この電機子の回転により整流子上を摺動するブラシとを備えた直流電動機において、整流子の表面には、ブラシとの接触面に摺動方向の複数の凹凸形状が設けられていることを特徴とする。
【０００５】
従来の平滑面で構成される整流子、つまり整流子の表面に凹凸形状を有していない整流子では、整流子とブラシとの摺動接触状態が不安定であるため、整流を受ける直前のコイル起電力を利用して整流中のリアクタンス電圧を打ち消す整流改善（電圧整流と呼ぶ）の効果を少ししか活用できていなかった。これに対し、本発明では、整流子の表面に凹凸形状を設けているので、ブラシの摺動接触状態を大幅に安定させることができ、電圧整流の効果を大きく活用できる。これにより、低電流域では、ブラシと整流子との接触面における通電電流分布が電機子の回転方向に対するブラシの入口側へ偏り、ブラシ移動角（ブラシシフト）を変更したのと同様の出力性能変化を得ることができる。
一方、高電流域では、ブラシ中の電流密度が大きく増加するため、電圧整流による整流改善効果が低下して、従来と略同等の出力性能となる。その結果、補助極を使用することなく、低電流域での回転速度向上効果を得ることができるため、補助極を使用する公知技術と比較した場合に、低コストで常温始動性を向上できる。
【０００６】
（請求項２の発明）
請求項１に記載した直流電動機において、電機子の回転中心に対するブラシの内周側の開角度をＸとし、永久磁石の内周側の開角度をＹとすると、
Ｘ≧Ｙ／４……………………………（１）
上記（１）式が成立することを特徴とする。
この場合、ブラシと整流子との接触面における通電電流分布が電機子の回転方向に対するブラシの入口側に偏ったことによる磁界の歪みが大きくなり、より大きな回転速度向上効果を得ることができる。
【０００７】
（請求項３の発明）
請求項１または２に記載した直流電動機において、一対の電圧端子より試験片に電圧を印加して、試験片に流れる通電電流を測定し、下記の計算式（２）より試験片の固有抵抗を求める時に、
Ｒ＝（Ｖ×Ｓ）／（Ｉ×Ｌ）………（２）
Ｒ：固有抵抗（Ωｃｍ）
Ｓ：試験片の断面積（ｃｍ2 ）
Ｉ：試験片に流れる通電電流（Ａ）
Ｌ：電圧端子間隔（ｃｍ）
Ｖ：印加電圧（Ｖ）
上記の計算式（２）より算出されるブラシの固有抵抗が１８００μΩｃｍ以下であることを特徴とする。
この場合、ブラシの固有抵抗が１８００μΩｃｍ以下と低いことで、抵抗整流の効果が比較的低いため、電圧整流の影響が大きくなる。その結果、より大きな回転速度向上効果を得ることができる。
【０００８】
（請求項４の発明）
請求項３に記載した直流電動機において、ブラシは、抵抗値が異なる複数のブラシ材を積層した多層ブラシであり、最も抵抗値の低いブラシ材の固有抵抗が１８００μΩｃｍ以下であることを特徴とする。
この場合、最も抵抗値の低いブラシ材の固有抵抗が１８００μΩｃｍ以下と低いことで、抵抗整流の効果が低減するため、電圧整流の影響が大きくなる。その結果、より大きな回転速度向上効果を得ることができる。
【０００９】
（請求項５の発明）
請求項１〜４に記載した何れかの直流電動機において、ブラシは、抵抗値が異なる複数のブラシ材を積層した多層ブラシであり、電機子の回転方向に対するブラシの出口側に入口側より抵抗値の高いブラシ材を配置したことを特徴とする。
この場合、ブラシの出口側での接触抵抗が高くなるため、低電流域での通電電流分布がよりブラシの入口側へ偏る。その結果、低電流域での更なる回転速度向上効果を得ることができる。
【００１０】
（請求項６の発明）
請求項１〜５に記載した何れかの直流電動機において、整流子上を摺動するブラシの摺動面は、ブラシが摩耗していない初期状態で、整流子の摺動方向の形状と略同等に形成されていることを特徴とする。
この場合、ブラシの初期状態において、整流子に対するブラシの摺動方向の接触長さを長くすることができる。更に、整流子の表面に設けられる凹凸形状の頂上部（凸部）のみがブラシの摺動面に接触するため、ブラシ面圧が大きく上昇する。その結果、整流子の凹凸形状にブラシが馴染む前の初期状態であっても、整流子とブラシとの摺動接触状態を安定させることができるため、電圧整流の効果を大きく活用できる。つまり、整流子の凹凸形状にブラシが馴染んだ後と同様の効果を得ることができる。これにより、ブラシが馴染む前の初期状態から低電流域での回転速度向上効果を得ることができる。また、整流子の凹凸形状にブラシが馴染んだ後は、請求項１の発明と同等の効果が得られる。
【００１１】
（請求項７の発明）
請求項１〜５に記載した何れかの直流電動機において、整流子上を摺動するブラシの摺動面は、ブラシが摩耗していない初期状態で、ブラシの摺動方向の中心より電機子の回転方向に対する入口側のみ接触する形状であることを特徴とする。
この場合、ブラシと整流子との接触面における通電電流分布がブラシの入口側へ偏り、ブラシ移動角（ブラシシフト）を変更したのと同様の出力性能変化を得ることができる。その結果、整流子の凹凸形状にブラシが馴染む前の初期状態から低電流域での回転速度向上効果を得ることができる。また、整流子の凹凸形状にブラシが馴染んだ後は、請求項１の発明と同等の効果が得られる。
【００１２】
（請求項８の発明）
請求項１〜７に記載した何れかの直流電動機において、整流子は、互いに絶縁された複数の整流子片から成り、この複数の整流子片が電機子軸の外周に円筒状に配置されていることを特徴とする。
この場合、電機子が回転している状態で、電機子軸に対して直角方向から刃具を当てることにより、円筒状の整流子に対し、複数本の凹凸形状が整流子の軸方向に所定の間隔（例えば等間隔）を保って容易に形成できる。
【００１３】
（請求項９の発明）
請求項１〜７に記載した何れかの直流電動機において、整流子は、互いに絶縁された複数の整流子片から成り、この複数の整流子片が電機子軸と直交する向きに配置されていることを特徴とする。
この場合、電機子が回転している状態で、電機子軸と平行方向から刃具を当てることにより、電機子軸と直交する整流子に対し、複数本の凹凸形状が整流子の同心円状に所定の間隔（例えば等間隔）を保って容易に形成できる。
【００１４】
（請求項１０の発明）
請求項１〜９に記載した何れかの直流電動機は、内燃機関を始動するためのスタータモータであることを特徴とする。
スタータモータは、内燃機関のクランキング中に発生する振動が整流子及びブラシに伝わるため、整流子とブラシとの摺動接触状態が不安定になりやすい。これに対し、本発明では、整流子の表面に凹凸形状を設けているので、整流子とブラシの摺動接触状態を大幅に安定させることができ、電圧整流の効果を大きく活用できる。
【発明を実施するための最良の形態】
【００１５】
本発明を実施するための最良の形態を以下の実施例により詳細に説明する。
【実施例１】
【００１６】
この実施例１は、内燃機関を始動するためのスタータモータに本発明の直流電動機を適用した一例であり、図１にスタータモータの電機子１を示す。
スタータモータは、以下に説明する界磁と電機子１及びブラシ２を備える。
界磁は、磁気回路を形成する円筒形状のヨーク３（図３参照）と、このヨーク３の内周に固定される複数の永久磁石４（図３参照）とで構成される。
電機子１は、軸受（図示せず）を介して回転自在に支持される電機子軸５と、この電機子軸５の外周に圧入状態でセレーション嵌合する電機子コア６と、この電機子コア６に巻線される電機子コイル７と、電機子軸５の一方の端部に設けられる整流子８とで構成される。
【００１７】
整流子８は、電機子軸５の外周に絶縁材９を介して円筒状に配置される複数の整流子片によって構成され、各々の整流子片がそれぞれ電機子コイル７に機械的且つ電気的に接続されている。
整流子８の表面（整流子面と呼ぶ）には、図１に示す様に、少なくともブラシ２が摺動する範囲内でブラシ２の摺動方向、即ち整流子８に周方向の複数本の溝１０が形成され、ブラシ２との接触面が凹凸形状に設けられている。
ブラシ２は、整流子面上に配置され、図示しないブラシスプリングにより整流子面に押圧されている。
【００１８】
本実施例のスタータモータは、整流子面に凹凸形状を設けているので、整流子８とブラシ２との摺動接触状態を大幅に安定させることができ、整流を受ける直前のコイル起電力を利用して整流中のリアクタンス電圧を打ち消す電圧整流の効果を大きく活用できる。これにより、低電流域では、ブラシ２と整流子８との接触面における通電電流分布が、電機子１の回転方向に対するブラシ２の入口側（図２参照）へ偏り、ブラシ移動角（ブラシシフト）を変更したのと同様の出力性能変化を得ることができる。
一方、高電流域では、ブラシ中の電流密度が大きく増加するため、電圧整流による整流改善効果が低下して、従来と略同等の出力性能となる。その結果、従来公知の補助極を使用することなく、低電流域での回転速度向上効果を得ることができるため、補助極を使用する公知技術と比較した場合に、低コストで常温始動性を向上できる。
【実施例２】
【００１９】
図２はブラシ２と整流子８の軸方向平面図である。
この実施例２に示すブラシ２は、抵抗値が異なる複数のブラシ材を積層した多層ブラシであり、一例として、図２に示す様に、電機子１の回転方向（図示矢印方向）に対してブラシ２の入口側に抵抗値の低い低抵抗ブラシ材２ａを配置し、出口側に抵抗値の高い高抵抗ブラシ材２ｂを配置したことを特徴とする。
この場合、高抵抗ブラシ材２ｂが配置されるブラシ２の出口側での接触抵抗が高くなるため、低電流域での通電電流分布がよりブラシ２の入口側へ偏る。その結果、低電流域での更なる回転速度向上効果を得ることができる。
【実施例３】
【００２０】
図３はブラシ２と永久磁石４の開角度を示すスタータモータの軸方向平面図である。
本実施例のスタータモータは、図３に示す様に、電機子１の回転中心Ｏに対するブラシ２の内周側の開角度をＸとし、永久磁石４の内周側の開角度をＹとすると、
Ｘ≧Ｙ／４……………………………（１）
上記（１）式が成立することを特徴とする。
この場合、ブラシ２と整流子８との接触面における通電電流分布が、電機子１の回転方向に対するブラシ２の入口側に偏ったことによる磁界の歪みが大きくなり、より大きな回転速度向上効果を得ることができる。
【実施例４】
【００２１】
図４はブラシ２の固有抵抗値を求めるための方法を示す説明図である。
この実施例３に示すブラシ２は、固有抵抗値が１８００μΩｃｍ以下であることを特徴とする。
ブラシ２の固有抵抗値は、図４に示す様に、一対の電圧端子１１より試験片１２に電圧を印加して、試験片１２に流れる通電電流を測定し、下記の計算式（２）より試験片１２の固有抵抗を算出する。
Ｒ＝（Ｖ×Ｓ）／（Ｉ×Ｌ）………（２）
Ｒ：固有抵抗（Ωｃｍ）
Ｓ：試験片の断面積（ｃｍ2 ）
Ｉ：試験片に流れる通電電流（Ａ）
Ｌ：電圧端子間隔（ｃｍ）
Ｖ：印加電圧（Ｖ）
本実施例の場合、ブラシ２の固有抵抗が１８００μΩｃｍ以下と低いことで、抵抗整流の効果が比較的低いため、電圧整流の影響が大きくなる。その結果、より大きな回転速度向上効果を得ることができる。
また、実施例２に示す多層ブラシでは、最も抵抗値の低いブラシ材（低抵抗ブラシ材２ａ）の固有抵抗が１８００μΩｃｍ以下であることを特徴とする。
【実施例５】
【００２２】
図５（ａ）はブラシ２と整流子８の接触部を示す軸方向平面図、同図（ｂ）はブラシ２と整流子８の接触部を示す側面図である。
この実施例５に示すブラシ２は、図５（ａ）に示す様に、摩耗していない初期状態において、ブラシ２の摺動面にＲ面取りが施されている。つまり、電機子１の回転方向で整流子８に対するブラシ２の接触長さが略最大となる様に、ブラシ２の摺動面に整流子８の曲率半径と同一半径を有するＲ面取りが施されている。
上記の構成によれば、ブラシ２の初期状態において、整流子８に対するブラシ２の摺動方向の接触長さを長くすることができる。更に、ブラシ２の初期状態では、図５（ｂ）に示す様に、整流子面に設けられた凹凸形状の頂上部（凸部）のみがブラシ２の摺動面に接触するため、ブラシ面圧が大きく上昇する。
【００２３】
上記の結果、整流子面の凹凸形状にブラシ２が馴染む前の初期状態であっても、整流子８とブラシ２との摺動接触状態を安定させることができるため、電圧整流の効果を大きく活用できるようになる。つまり、整流子面の凹凸形状にブラシ２が馴染んだ後と同様の効果を得ることができる。これにより、ブラシ２が馴染む前の初期状態から低電流域での回転速度向上効果を得ることができる。また、整流子面の凹凸形状にブラシ２が馴染んだ後は、実施例１と同等の効果が得られる。
【実施例６】
【００２４】
図６はブラシ２と整流子８の接触部を示す軸方向平面図である。
この実施例６に示すブラシ２は、図６に示す様に、摩耗していない初期状態において、ブラシ２の摺動方向の中心より電機子１の回転方向に対する入口側のみ接触する形状であることを特徴とする。
この場合、ブラシ２と整流子８との接触面における通電電流分布がブラシ２の入口側へ偏り、ブラシ移動角（ブラシシフト）を変更したのと同様の出力性能変化を得ることができる。その結果、整流子面の凹凸形状にブラシ２が馴染む前の初期状態から低電流域での回転速度向上効果を得ることができる。また、整流子面の凹凸形状にブラシ２が馴染んだ後は、実施例１と同等の効果が得られる。
【実施例７】
【００２５】
図７は電機子１の半断面図である。
実施例１〜６に示す整流子８は、複数の整流子片が電機子軸５の外周に円筒状に配置される構成であるが、この実施例７に示す整流子８は、複数の整流子片が電機子軸５と直交する向きに配置され、以下に説明する電機子コイル７の一部が整流子片として利用されている。
電機子コイル７は、電機子コア６の外周に形成されるスロットの数と同数の下層コイル体７０と上層コイル体７１とを有し、この下層コイル体７０の直線部７０ａと上層コイル体７１の直線部７１ａとを二層状態でスロットに挿入して電機子コア６に組み立てた後、互いに異なるスロットから取り出された下層コイル体７０の端部と上層コイル体７１の端部とを接合して形成される。
【００２６】
上層コイル体７１は、スロットに挿入される直線部７１ａの一端から電機子コア６の端面と略平行に径方向内側へ延びるコイル端部７１ｂが設けられ、そのコイル端部７１ｂが整流子片として利用されている。
この整流子片の表面（整流子面）、つまりコイル端部７１ｂの軸方向外側面には、軸方向よりブラシ２が当接して、図示しないブラシスプリングにより整流子面に押圧されている。また、整流子面（コイル端部７１ｂの軸方向外側面）には、電機子軸５を中心とする同心円状に複数本の溝１０が形成され、少なくともブラシ２が摺動する範囲内でブラシ２との接触面が凹凸形状に設けられている。
【００２７】
この実施例７においても、実施例１と同等の効果を得ることができる。つまり、整流子面に凹凸形状を設けたことにより、ブラシ２の摺動接触状態を大幅に安定させることができ、電圧整流の効果を大きく活用できる。その結果、従来公知の補助極を使用することなく、低電流域での回転速度向上効果を得ることができるため、補助極を使用する公知技術と比較した場合に、低コストで常温始動性を向上できる。
また、実施例２と同様に、抵抗値が異なる複数のブラシ材を積層した多層ブラシを用いることもできる。例えば、図８に示す様に、電機子１の回転方向（図示矢印方向）に対してブラシ２の入口側に抵抗値の低い低抵抗ブラシ材２ａを配置し、出口側に抵抗値の高い高抵抗ブラシ材２ｂを配置することにより、ブラシ２の出口側での接触抵抗が高くなるため、低電流域での通電電流分布がよりブラシ２の入口側へ偏る。その結果、低電流域での更なる回転速度向上効果を得ることができる。
更に、実施例３〜６の構成を本実施例のブラシ２に適用することもできる。
【００２８】
（変形例）
実施例１では、本発明の直流電動機をスタータモータに適用した一例を説明したが、スタータモータに限定されるものではなく、永久磁石４を界磁として使用する直流電動機に広く適用できる。
実施例７に記載した直流電動機は、電機子コイル７の一部（上層コイル体７１のコイル端部７１ｂ）を整流子片として利用しているが、電機子コイル７とは別部材によって整流子片を構成することもできる。
【図面の簡単な説明】
【００２９】
【図１】電機子の半断面図である（実施例１）。
【図２】ブラシと整流子の軸方向平面図である（実施例２）。
【図３】ブラシと永久磁石の開角度を示すスタータモータの軸方向平面図である（実施例３）。
【図４】ブラシの固有抵抗値を求める方法を示す説明図である（実施例４）。
【図５】（ａ）ブラシと整流子の接触部を示す軸方向平面図、（ｂ）ブラシと整流子の接触部を示す側面図である（実施例５）。
【図６】ブラシと整流子の接触部を示す軸方向平面図である（実施例６）。
【図７】電機子の半断面図である（実施例７）。
【図８】図７に示すブラシと整流子のＡ視図である（実施例７）。
【符号の説明】
【００３０】
１    電機子
２    ブラシ
２ａ  低抵抗ブラシ材（抵抗値の低いブラシ材）
２ｂ  高抵抗ブラシ材（抵抗値の高いブラシ材）
３    ヨーク
４    永久磁石
５    電機子軸
８    整流子
１０    溝
【図１】
2007244089.tif 000003
【図２】
2007244089.tif 000004
【図３】
2007244089.tif 000005
【図４】
2007244089.tif 000006
【図５】
2007244089.tif 000007
【図６】
2007244089.tif 000008
【図７】
2007244089.tif 000009
【図８】
2007244089.tif 000010